(57)【要約】【課題】一人の作業員によって、つまり、足操作によってロックの開閉を行い、手操作によってワークテーブルの高さ位置を調整することができるようにし、これによって、ワークテーブル（及びインスツルメントホルダ）の高さ位置を容易に調整可能にした。【解決手段】歯科治療ユニットにおけるワークテーブル２（及びインスツルメントホルダ３）の高さを調整するのに、足操作レバー１０を設けた。この足操作レバー１０を押下することによって、ワークテーブル２側から延長するアーム７に設けられた垂下部７1を、基台５側から延長するアーム６の垂直部６1に対して移動可能とし、ワークテーブル２の高さ位置を調整する。調整後、レバー１０の押下力を解除すると、垂下部７1は垂直部６1にロックされる。【選択図】図１
2009045191.tif 000002
【特許請求の範囲】
【請求項１】
歯科治療ユニットにおけるインスツルメントホルダの高さ位置調整機構であって、前記歯科治療ユニット側から延長するアームの垂直部と前記インスツルメントホルダ側から延長するアームの垂下部とが移動可能に連結され、該連結が前記歯科治療ユニット側から延長するアームの垂直部に設けられた足操作レバーによって制御され、該足操作レバーが押下された時に、前記インスツルメントホルダが上下に移動可能にされ、前記足操作レバーの押下力が解除された時に、その時の高さ位置に前記インスツルメントホルダがロックされることを特徴とする歯科治療ユニットにおけるインスツルメントホルダの高さ位置調整機構。
【請求項２】
前記歯科治療ユニット側から延長するアームの垂直部には、上下を連通するオリフィスを有するピストンと、該ピストンを上部に支持するピストン支持杆と、前記オリフィスを開閉する弁体と、前記ピストン支持杆内に挿通され前記弁体を操作する弁操作杆とを有し、前記インスツルメントホルダ側から延長するアームの垂下部には、前記ピストンと係合して上下動するシリンダーと、該シリンダーの上端部に密封された圧縮気体と、前記圧縮気体と前記シリンダー内に密封された液体との間に介装されたフリーピストンとを有し、前記足操作レバーの操作によって前記弁体を操作して前記オリフィスを開閉するようにしたことを特徴とする請求項１に記載の歯科治療ユニットにおけるインスツルメントホルダの高さ位置調整機構。
【請求項３】
前記足操作レバーを押下して前記オリフィスを開いて前記シリンダーの上下動動作を可能にし、足操作レバーの押下力を解いて前記オリフィスを閉じて前記シリンダーの上下動動作を禁止するようにしたことを特徴とする請求項２に記載の歯科治療ユニットにおけるインスツルメントホルダの高さ位置調整機構。
【請求項４】
前記インスツルメントホルダ高さ位置調整機構と並行に上下動動作可能に補強機構を有し、該補強機構は、前記歯科治療ユニット側から延長するアームに立設された中空状軸体と、前記インスツルメントホルダ側から延長するアームから垂下された柱状体とを有し、該柱状体が前記中空状軸体内に上下動摺動可能に軸支されていることを特徴とする請求項３に記載の歯科治療ユニットにおけるインスツルメントホルダの高さ位置調整機構。
【請求項５】
前記柱状体が中空に形成され、該柱状体内及び前記中空状軸体内を通して前記インスツルメントホルダ上のインスツルメントに供給する電気、エアー、水等の供給通路が配設されていることを特徴とする請求項４に記載の歯科治療ユニットにおけるインスツルメントホルダの高さ位置調整機構。
【請求項６】
前記中空状軸体と柱状体とは相対的な回動が不可に連結されていることを特徴とする請求項４又は５に記載の歯科治療ユニットにおけるインスツルメントホルダの高さ位置調整機構。
【請求項７】
前記インスツルメントホルダにはワークテーブルが一体的に取り付けられていることを特徴とする請求項１乃至６のいずれかに記載の歯科治療ユニットにおけるインスツルメントホルダの高さ位置調整機構。
【発明の詳細な説明】
【技術分野】
【０００１】
本発明は、歯科治療ユニットにおけるインスツルメントホルダの高さ調整機構に係り、より詳細には、前記インスツルメントホルダの高さ調整を作業者に負担をかけることなく、より楽に出来るようにした新規調整機構に関する。
【背景技術】
【０００２】
図４は、本発明が適用されるインスツルメントホルダ高さ調整機構を備えた従来の歯科治療ユニットの一例を説明するための要部構成図で、該歯科治療ユニットは、治療椅子１、ワークテーブル２、該ワークテーブル２と一体的に取り付けられているインスツルメントホルダ３、ハンドピース（インスツルメント）４等から成り、インスツルメントホルダ３には、歯科治療において術者が使用する種々の機器、例えば、ハンドピース、エアータービン、マイクロエンジン、超音波スケーラ、マルチシリンジ等のハンドピース４が収納されており、周知のように、歯科治療に当り、患者は、治療椅子１に座り、頭を安頭台に固定して治療を受ける。治療中、術者は治療椅子１を上下動、倒起動、傾斜動等をさせて、患者を治療しやすい姿勢にして治療を行う。
【０００３】
上述のように、歯科治療に当り、術者は、インスツルメントホルダ３より施術に必要な機器（例えば、ハンドピース）４を取り出して歯科治療を行うが、術者により、より代表的には、術者の身長の相違等により、ワークテーブル２の高さ位置、或いは、ハンドピース４が載置されるインスツルメントホルダ３の最適な高さ位置が異なり、そのため、これらワークテーブル２及びインスツルメントホルダ３の高さ位置は調整可能になっている。
【０００４】
上記ワークテーブル２及びインスツルメントホルダ３は、通常、歯科治療椅子１の基台５側より延長するアーム６とワークテーブル２側より延長するアーム７とから成る支持アームに取り付けられ、その高さ位置は、これらアーム６及び７の垂直部６1、垂下部７1の連結長さを調整することによって行われている。具体的には、基台５側より延長するアーム６の垂直部６1とワークテーブル２（及びインスツルメントホルダ３）側より延長するアーム７の垂下部７1とを例えば入れ子式に摺動自在に連結し、ねじ８を緩めることによって、これら垂直部を摺動自在にしてワークテーブル（及びインスツルメントホルダ）の高さ位置を調整し、該ねじ８を締めることによって、その調整された高さ位置にロックするようにしている。
【０００５】
上述のごとき従来技術においては、歯科治療ユニットにおけるワークテーブル（及びインスツルメントホルダ）の高さを調整するのに、まず、ワークテーブル２を支え、その状態でねじ８を緩め、ワークテーブル２の高さ位置を調整し、その高さ位置にワークテーブル２を支え、その状態でねじ８を締め付け、その状態（高さ位置）にワークテーブル２をロックするようにしている。
【発明の開示】
【発明が解決しようとする課題】
【０００６】
上記従来技術においては、ワークテーブル２（及びインスツルメントホルダ３）の高さ位置を調整するのに、ワークテーブル２（及びインスツルメントホルダ３）を支えながらねじ８を緩め或いは締めなければ（ロックしなければ）ならず、一人の作業員で、この作業（ワークテーブル及びインスツルメントホルダの高さ調整作業）を行うのは大変であった。
【０００７】
本発明は、上述のごとき従来技術の課題を解決するためになされたもので、一人の作業員によって、つまり、足操作によってロックの開閉を行い、手操作によってワークテーブルの高さ位置を調整することができるようにし、これによって、ワークテーブル（及びインスツルメントホルダ）の高さ位置を容易に調整可能にしたものである。
【課題を解決するための手段】
【０００８】
請求項１の発明は、歯科治療ユニットにおけるインスツルメントホルダの高さ位置調整機構であって、前記歯科治療ユニット側から延長するアームの垂直部と前記インスツルメントホルダ側から延長するアームの垂下部とが移動可能に連結され、該連結が前記歯科治療ユニット側から延長するアームの垂直部に設けられた足操作レバーによって制御され、該足操作レバーが押下された時に、前記インスツルメントホルダが上下に移動可能にされ、前記足操作レバーの押下力が解除された時に、その時の高さ位置に前記インスツルメントホルダがロックされることを特徴としたものである。
【０００９】
請求項２の発明は、請求項１の発明において、前記歯科治療ユニット側から延長するアームの垂直部には、上下を連通するオリフィスを有するピストンと、該ピストンを上部に支持するピストン支持杆と、前記オリフィスを開閉する弁体と、前記ピストン支持杆内に挿通され前記弁体を操作する弁操作杆とを有し、前記インスツルメントホルダ側から延長するアームの垂下部には、前記ピストンと係合して上下動するシリンダーと、該シリンダーの上端部に密封された圧縮気体と、前記圧縮気体と前記シリンダー内に密封された液体との間に介装されたフリーピストンとを有し、前記足操作レバーの操作によって前記弁体を操作して前記オリフィスを開閉するようにしたことを特徴としたものである。
【００１０】
請求項３の発明は、請求項２の発明において、前記足操作レバーを押下して前記オリフィスを開いて前記シリンダーの上下動動作を可能にし、足操作レバーの押下力を解いて前記オリフィスを閉じて前記シリンダーの上下動動作を禁止するようにしたことを特徴としたものである。
【００１１】
請求項４の発明は、請求項３の発明において、前記インスツルメントホルダ高さ位置調整機構と並行に上下動動作可能に補強機構を有し、該補強機構は、前記歯科治療ユニット側から延長するアームに立設された中空状軸体と、前記インスツルメントホルダ側から延長するアームから垂下された柱状体とを有し、該柱状体が前記中空状軸体内に上下動摺動可能に軸支されていることを特徴としたものである。
【００１２】
請求項５の発明は、請求項４の発明において、前記柱状体が中空に形成され、該柱状体内及び前記中空状軸体内を通して前記インスツルメントホルダ上のインスツルメントに供給する電気、エアー、水等の供給通路が配設されていることを特徴としたものである。
【００１３】
請求項６の発明は、請求項４又は５の発明において、前記中空状軸体と柱状体とは相対的な回動が不可に連結されていることを特徴としたものである。
【００１４】
請求項７の発明は、請求項１乃至６のいずれかの発明において、前記インスツルメントホルダにはワークテーブルが一体的に取り付けられていることを特徴としたものである。
【発明の効果】
【００１５】
本発明によると、１人の作業員で、ワークテーブル（及びインスツルメントホルダ）の高さ位置を簡単に調整することができる。
【発明を実施するための最良の形態】
【００１６】
図１は、本発明によるワークテーブル（及びインスツルメントホルダ）の高さ調整機構を備えた歯科治療ユニットの一例を示す要部全体構成図で、図中、図４に示した従来技術と同様の作用をする部分には図４の場合と同一の参照番号を付し、その詳細な説明は省略する。なお、ワークテーブル（及びインスツルメントホルダ）高さ調整機構以外の構成については、図示例に限定されるものではなく、周知の他の形成の歯科治療ユニットにも適用可能であることは、容易に理解できよう。
【００１７】
図１において、１０は、本発明によって設けられた足操作レバーで、該レバー１０を足操作によって押下することによって、アーム６の垂直部（立脚部）６1とアーム７の垂下部７1とのロック状態を解除して垂下部７1の上下動を可能とし、これによって、ワークテーブル２の高さ位置を手操作によって調整可能とし、該レバー１０の押下力を解放することによって、前記アーム７の垂下部７1の上下動動作を禁止（ロック）し、ワークテーブル２の高さ位置を、その調整後の高さ位置に固定（ロック）するようにしたものである。
【００１８】
上述のように、本発明によると、従来、２人以上の作業員の協同作業によって行っていたワークテーブルの高さ位置調整を、手操作と足操作とによって調整可能とし、これによって、１人の作業員でワークテーブルの高さ位置調整を行うことができるようになり、ワークテーブルの高さ調整作業が非常に楽になった。
【００１９】
図２は、本発明によるワークテーブルの高さ位置調整機構の一実施例を説明するための要部構成図で、図中、１０は前述の足操作レバー、１１は該足操作レバー１０の回動軸で、図２（Ａ）は、該足操作レバー１０を押下して弁２２を開放した状態を示し、図２（Ｂ）は、ワークテーブル２（及びインスツルメントホルダ３）から延長するアーム７の高さ位置を、図２（Ａ）に示した高さ位置Ｈ1からＨ2の高さ位置に調整し、その高さ位置に固定（ロック）した状態を示す。
【００２０】
図２において、２０は歯科治療椅子１の基台５側から延長したアーム６より上方に延長するピストン支持杆で、該ピストン支持杆２０の上端部にはピストン２１が取り付けられている。３０はワークテーブル２側から延長したアーム７より下方に延長するシリンダーで、該シリンダー３０は前記ピストン２１に液密に係合し、上下方向に移動可能となっている。
【００２１】
ピストン支持杆２０の内部には、前記弁２２に連結された弁操作杆２３が挿通されており、該弁操作杆２３の下端を、前記操作レバー１０を足操作によって押下することによって押し上げ、ピストン２１に設けられているオリフィス２１ａを開放し、該ピストン２１によって区切られていたシリンダー３０の上室３０ａと下室３０ｂとを連通する。このシリンダー３０の上室３０ａと下室３０ｂとには、オイル（液体）３１が密封されており、前記オリフィス２１ａを開放することによってオイル３１は上室３０ａと下室３０ｂとの間で移動可能となる。シリンダー３０の上端に圧縮ガス（気体）封入室３２設けられており、この圧縮ガス（気体）封入室の気体とオイル（液体）３１とはフリーピストン３３によって仕切られている。
【００２２】
ワークテーブル２が、図２（Ａ）に示す高さ位置にロックされている時（つまり、足操作レバー１０が押下される前）は、弁２２は、図２（Ｂ）に示すように、閉じられており、この状態では、オイル３１の移動（上室３０ａと下室３０ｂとの連通）が禁止されており、シリンダー３０は、この状態（高さ位置）に保持されている。つまり、ワークテーブル２（及びインスツルメントホルダ３）は、この高さ位置に保持されている。この状態で、足操作レバー１０を押下すると、弁２２が上昇しようとするが、その場合、上室３０ａ内全体がオイルによって満たされていると、液体は非圧縮性であるため、弁２２を持ち上げることはできない。しかし、上室３０ａに圧縮ガス封入室３２を設けておき、該圧縮ガス封入室３２内のガス圧とオイル室内のオイル圧との差圧によって自由に上下動できるフリーピストン３３を設けておくときは、上室３０ａ内のオイル圧が上昇した分の上昇圧を圧縮ガス室で吸収することができ、これによって、弁２２を簡単に上昇し、オリフィス２１ａを開放することができる。
【００２３】
上述のようにして、弁２２を開くと（オリフィス２１ａが開通されると）、オイル３１は、シリンダー３０内の上室３０ａと下室３０ｂとの間を自由に行き来することができ、これによって、シリンダー３０を上下に移動させることができる。図２（Ｂ）は、上述のようにして、シリンダー３０を上下動させて、ワークテーブル２の高さをＨ2の高さに調整した時の状態を示す。すなわち、作業員は、足操作にてレバー１０を押下し、該レバー１０を押下しながら、手操作によってワークテーブル２の高さ位置を調整し、所望の高さ位置に手操作にて保持し、その状態で、足操作レバー１０の押下力を解放する。すると、弁２２が下降して、オリフィス２１ａを閉じ、シリンダー３０は、その位置に固定（ロック）される。なお、この時の弁２２が下降する力は、弁２２のオイル圧を受ける上面側の面積と、大気圧を受ける下面側の面積との差、及び、オイル圧と大気圧の差等によって定まり、上面側の面積の方が大きいこと、オイル圧の方が外気圧より高いこと等から、足操作レバー１０の押下力を解くと、弁２２は自然に降下し、図２（Ｂ）に示す状態となる。
【００２４】
図３は、上述のごとき高さ調整機構を用いたインスツルメントホルダ（ワークテーブル）支持機構の一例を示す図で、図３（Ａ）は、図２に示した高さ調整機構が設けられている側から見た時のインスツルメントホルダ支持アームの連結部の構造を示す図、図３（Ｂ）は、図３（Ａ）を９０°回転して見た時の図で、この実施例は、前述の高さ位置調整機構に並行に補強機構を設けたものである。図３において、４０は前記アーム６に前記高さ位置機構と並行に立設された中空体、５０は前記アーム７に前記高さ位置調整機構と並行に垂下された柱状体で、該柱状体５０は軸受６０によって中空体４０内に上下動可能に支持されている。なお、４１は前記中空体４０の軸方向に設けられた長穴、５１は前記柱状体５０の軸方向に対して直角方向に延長して設けられたピンで、該ピン５１が前記長穴４１内を貫通して設けられ、これによって、中空体４０と柱状体５０との相対的上下動を許容しかつ相対的回動を規制している。このような補強部材を設けることによって、高さ調整機構は、ワークテーブルの高さ調整及びその高さ位置の保持にのみ機能させるようにすることができ、所期の機能を保持しつつ支持機構の強度を保証することができる。
【００２５】
更に、前記柱状体５０を中空状にしておく時は、該中空の柱状体５０及び中空体４０内を通して、インスツルメントホルダ上のインスツルメントに供給する電気、エア、水等の供給路を配設することができる。
【図面の簡単な説明】
【００２６】
【図１】本発明によるワークテーブル（及びインスツルメントホルダ）の高さ調整機構を備えた歯科治療ユニットの一例を示す要部全体構成図である。
【図２】本発明によるワークテーブルの高さ位置調整機構の一実施例を説明するための要部構成図である。
【図３】高さ調整機構を用いたワークテーブル支持機構の一例を示す図である。
【図４】本発明が適用されるワークテーブル高さ調整機構を備えた従来の歯科治療ユニットの一例を説明するための要部構成図である。
【符号の説明】
【００２７】
１…歯科治療椅子、２…ワークテーブル、３…インスツルメントホルダ、４…ハンドピース、５…基台、６…ワークテーブル支持アーム、６１…垂直部、７…アーム、８…ねじ、７1…垂下部、１０…足操作レバー、２０…ピストン支持杆、２１…ピストン、２１ａ…オリフィス、２２…弁、２３…弁操作杆、３０…シリンダー、３０ａ…上室、３０ｂ…下室、３１…オイル（液体）、３２…圧縮ガス封入室、３３…フリーピストン、４０…中空体、４１…長穴、５０…柱状体（中空体）、５１…回動防止ピン、６０…軸受。
【図１】
2009045191.tif 000003
【図２】
2009045191.tif 000004
【図３】
2009045191.tif 000005
【図４】
2009045191.tif 000006